(57)【要約】【課題】接続機器との通信品質の低下を抑制することが可能な光モジュールを提供する。【解決手段】光素子５２が搭載された回路基板２４と、光ファイバを保持する光ファイバ保持孔５４ａを有した光ファイバ保持部材５４と、ファイバ端面が露出された状態で光ファイバ保持孔５４ａに保持された光ファイバと、回路基板２４上に固定され、光素子５２と光ファイバとを光学制御部５５ｄによって光学的に接続する光結合部材５５と、光結合部材５５に対する光ファイバ保持部材５４の姿勢を保持する姿勢保持構造と、を備え、ファイバ端面が光ファイバの光軸に直交する面に対して傾斜している。【選択図】図６
2015175910.tif 000002
【特許請求の範囲】
【請求項１】
光素子が搭載された回路基板と、
ファイバ端面が露出した状態で光ファイバが保持された光ファイバ保持孔を有する光ファイバ保持部材と、
前記回路基板上に固定され、前記光素子と前記光ファイバとを光学制御部によって光学的に接続する光結合部材と、
前記光結合部材に対して前記光ファイバ保持部材の姿勢を保持する姿勢保持構造と、
を備え、
前記ファイバ端面が前記光ファイバの光軸に直交する面に対して傾斜している、光モジュール。
【請求項２】
前記光結合部材は、第１接続部を有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は前記第１接続部と接続する第２接続部を有し、
前記光ファイバ保持孔は前記第２接続部から前記上面側にシフトした位置に形成され、
前記姿勢保持構造は、少なくとも前記第１接続部と前記第２接続部により構成されている、請求項１に記載の光モジュール。
【請求項３】
前記光結合部材は、前記光ファイバ保持部材と対向する第１面を有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面と当接する第２面を有し、
前記姿勢保持構造は、少なくとも前記第１面と前記第２面により構成されている、請求項１または請求項２に記載の光モジュール。
【請求項４】
前記前面は、前記第２面と隣接して設けられるとともに前記光ファイバ保持孔が形成された第３面を有し、
前記第３面は前記ファイバ端面と略同一面上に配置され前記光ファイバの光軸に直交する面に対して傾斜している、請求項３に記載の光モジュール。
【請求項５】
前記光結合部材と前記光ファイバ保持部材とが連結された状態を保持するクリップ部材を更に備え、
前記クリップ部材が前記光結合部材と前記光ファイバ保持部材に対して取り付けられた状態において、前記クリップ部材と前記光結合部材との第１接点及び前記クリップ部材と前記光ファイバ保持部材との第２接点は、前記光ファイバ保持部材の前記第２面と前記第３面の接続部分から前記下面側にシフトした位置に配置されている、請求項４に記載の光モジュール。
【請求項６】
前記光結合部材は、前記光ファイバ保持部材と対向する第１面と、前記第１面に形成される第１接続部とを有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面と当接する第２面と、前記第１接続部と接続するとともに前記第２面に全体が形成された第２接続部とを有し、
前記姿勢保持構造は、少なくとも前記第１面、前記第２面、前記第１接続部、および前記第２接続部により構成されている、請求項１に記載の光モジュール。
【請求項７】
前記光結合部材は、前記光ファイバ保持部材と対向する第１面と、前記第１面に形成される第１接続部とを有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面と当接する第２面と、前記第２面と隣接して設けられるとともに前記光ファイバ保持孔が形成された第３面と、前記第１接続部と接続すると第２接続部と、を有し、
前記第３面は前記光ファイバの光軸に直交する面に対して傾斜しており、
前記第２接続部の少なくとも一部は、前記第３面に形成され、
前記姿勢保持構造は、少なくとも前記第１面、前記第２面、前記第１接続部、および前記第２接続部により構成されている、請求項１に記載の光モジュール。
【請求項８】
前記光結合部材は、前記光ファイバ保持部材と対向する第１面と、前記第１面に形成される第１接続部および突起部と、を有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面に当接する第２面と、前記第２面に隣接して設けられるとともに前記光ファイバ保持孔が形成された第３面と、前記第１接続部に接続する第２接続部と、を有し、
前記第３面は、前記ファイバ端面と同じ傾斜を有し、前記ファイバ端面を一部に含むように配置され、
前記突起部は、前記第３面に当接するように形成されており、
前記姿勢保持構造は、少なくとも前記第１面、前記第２面、前記第１接続部、前記第２接続部、および前記突起部により構成されている、請求項１に記載の光モジュール。
【発明の詳細な説明】
【技術分野】
【０００１】
本発明は、光素子と光ファイバとが接続される構成を備えた光モジュールに関する。
【背景技術】
【０００２】
従来、光ファイバを保持するコネクタ部品がレンズアレイ部品に装着されて、光ファイバと光素子とが光学的に接続される構成の光モジュールが開示されている（例えば、特許文献１参照）。
【先行技術文献】
【特許文献】
【０００３】
【特許文献１】国際公開第２０１３／０９９７５３号
【発明の概要】
【発明が解決しようとする課題】
【０００４】
しかしながら、特許文献１の光モジュールでは、例えば、発光素子から光が出射されて、その光がレンズアレイ部品を介して光ファイバの端面に入射するとき、光信号の一部が光ファイバの端面で反射してレンズアレイ方向に戻ってしまう場合があった。この場合、レンズアレイ方向に戻る反射光によって光モジュールの通信品質が低下してしまうこともあった。
【０００５】
そこで、本発明は、接続機器との通信品質の低下を抑制することが可能な光モジュールの提供を目的とする。
【課題を解決するための手段】
【０００６】
上記の目的を達成するために、本発明の光モジュールは、
光素子が搭載された回路基板と、
ファイバ端面が露出した状態で光ファイバが保持された光ファイバ保持孔を有する光ファイバ保持部材と、
前記回路基板上に固定され、前記光素子と前記光ファイバとを光学制御部によって光学的に接続する光結合部材と、
前記光結合部材に対して前記光ファイバ保持部材の姿勢を保持する姿勢保持構造と、
を備え、
前記ファイバ端面が前記光ファイバの光軸に直交する面に対して傾斜している、ものである。
【発明の効果】
【０００７】
本発明の光モジュールによれば、接続機器との通信品質の低下を抑制することができる。
【図面の簡単な説明】
【０００８】
【図１】本実施形態に係る光モジュールの一例を示す斜視図である。
【図２】図１の樹脂ハウジングを外した状態を示す斜視図である。
【図３】図２の金属ハウジングを外した状態を示す斜視図である。
【図４】図３のクリップ部材を外した状態を示す斜視図である。
【図５】図１に示す光モジュールの断面図である。
【図６】（ａ）は図４に示す回路基板を上から見た図であり、（ｂ）は図４に示す回路基板を横から見た図である。
【図７】（ａ）と（ｂ）は、図６の（ａ）と（ｂ）において光結合部材に光ファイバ保持部材を取り付けた状態を示す図である。
【図８】光ファイバ保持部材の斜視図である。
【図９】（ａ）はクリップ部材の平面図であり、（ｂ）は（ａ）のＡ−Ａ線における断面図であり、（ｃ）は光結合部材と光ファイバ保持部材とにクリップ部材を装着した図である。
【図１０】光素子から出射された光の進行する方向を模式的に示した図である。
【図１１】（ａ），（ｂ）は、それぞれ光ファイバ保持部材の変形例を示す斜視図である。
【図１２】光結合部材の変形例を示す図であり、（ａ）は回路基板に取り付けられた光結合部材を横から見た図、（ｂ）は（ａ）において光結合部材に光ファイバ保持部材を結合した図、（ｃ）は（ｂ）を上から見た図である。
【図１３】クリップ部材の変形例を示す図であり、（ａ）はクリップ部材の断面図、（ｂ）は光結合部材と光ファイバ保持部材とにクリップ部材を装着した図である。
【図１４】異なる形態の光結合部材および光ファイバ保持部材を示す図である。
【発明を実施するための形態】
【０００９】
＜本発明の実施形態の概要＞
最初に本発明の実施形態の概要を説明する。
（１）光モジュールは、
光素子が搭載された回路基板と、
ファイバ端面が露出した状態で光ファイバが保持された光ファイバ保持孔を有する光ファイバ保持部材と、
前記回路基板上に固定され、前記光素子と前記光ファイバとを光学制御部によって光学的に接続する光結合部材と、
前記光結合部材に対して前記光ファイバ保持部材の姿勢を保持する姿勢保持構造と、
を備え、
前記ファイバ端面が前記光ファイバの光軸に直交する面に対して傾斜している、ものである。
【００１０】
上記の光モジュールによれば、光素子から出射された光の一部は、光ファイバに受光されずファイバ端面で反射される。このとき、ファイバ端面は、光ファイバの光軸に直交する面に対し傾斜して形成されているので、この傾斜したファイバ端面によって、光学制御部に向かう光の反射が防止される。このため、ファイバ端面における反射光によって光モジュールの通信品質が低下してしまうことを抑制することができる。また、姿勢保持構造によって、光結合部材に対する光ファイバ保持部材の姿勢が保持されるため、光素子と光ファイバの光学的な接続が安定した状態に維持される。このため、光モジュールの通信品質が低下してしまうことを抑制することができる。
【００１１】
（２）また、上記（１）の光モジュールにおいて、
前記光結合部材は、第１接続部を有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は前記第１接続部と接続する第２接続部を有し、
前記光ファイバ保持孔は前記第２接続部から前記上面側へシフトした位置に形成され、
前記姿勢保持構造は、少なくとも前記第１接続部と前記第２接続部により構成されていても良い。
【００１２】
この光モジュールによれば、光ファイバ保持孔は回路基板に対して第２接続部よりも離れた位置に形成されている。このため、光ファイバ保持孔およびそこに保持された光ファイバは、回路基板からの放熱の影響を受け難いとともに光ファイバ保持部材の熱膨張による影響も受け難い。これにより、熱による光ファイバの位置ずれを抑制することができ、通信品質の低下を抑制することができる。
【００１３】
（３）また、上記（１）または（２）の光モジュールにおいて、
前記光結合部材は、前記光ファイバ保持部材と対向する第１面を有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面と当接する第２面を有し、
前記姿勢保持構造は、少なくとも前記第１面と前記第２面により構成されていても良い。
【００１４】
この光モジュールによれば、光結合部材と光ファイバ保持部材とは、結合した状態において、光結合部材の第１面と光ファイバ保持部材の第２面とで面接触する。この面接触により、光結合部材に対する光ファイバ保持部材の姿勢を安定して保持することができるため、光素子と光ファイバとの光学的な接続を安定的に維持することができ、光モジュールの通信品質の低下を抑制することができる。
【００１５】
（４）また、上記（３）の光モジュールにおいて、
前記前面は、前記第２面と隣接して設けられるとともに前記光ファイバ保持孔が形成された第３面を有し、
前記第３面は前記ファイバ端面と略同一面上に配置され前記光ファイバの光軸に直交する面に対して傾斜していても良い。
【００１６】
この光モジュールによれば、光ファイバ保持孔が設けられた第３面は傾斜して形成されているので、光結合部材の第１面と傾斜した第３面との間には空間が形成される。この空間は断熱空間としても機能するため、光ファイバ保持孔に保持された光ファイバは、光結合部材からの熱の影響を受け難い位置に設けられる。このため、光ファイバ保持部材の熱膨張による光ファイバの位置ずれを低減することができ、光モジュールにおける通信品質の低下を抑制することができる。
【００１７】
（５）また、上記（４）の光モジュールにおいて、
前記光結合部材と前記光ファイバ保持部材とが連結された状態を保持するクリップ部材を更に備え、
前記クリップ部材が前記光結合部材と前記光ファイバ保持部材に対して取り付けられた状態において、前記クリップ部材と前記光結合部材との第１接点及び前記クリップ部材と前記光ファイバ保持部材との第２接点は、前記光ファイバ保持部材の前記第２面と前記第３面の接続部分から前記下面側へシフトした位置に配置されていても良い。
【００１８】
この光モジュールによれば、クリップ部材の押圧力によって、前記第１面と前記第２面との面接触状態が維持されるため、両部材を安定的に固定することができる。これにより、光結合部材に対する光ファイバ保持部材の姿勢を安定して保持することができ、光モジュールの通信品質の低下を抑制できる。
【００１９】
（６）また、上記（１）の光モジュールにおいて、
前記光結合部材は、前記光ファイバ保持部材と対向する第１面と、前記第１面に形成される第１接続部とを有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面と当接する第２面と、前記第１接続部と接続するとともに前記第２面に全体が形成された第２接続部とを有し、
前記姿勢保持構造は、少なくとも前記第１面、前記第２面、前記第１接続部、および前記第２接続部により構成されていても良い。
【００２０】
この光モジュールによれば、光結合部材の第１面に当接する光ファイバ保持部材の当接面（第２面）に第２接続部の全体が形成されている。このため、第１面と第２面とを当接させることにより、光結合部材の第１接続部に対して光ファイバ保持部材の第２接続部が、所定の位置にずれることなく接続される。これにより、光結合部材に対する光ファイバ保持部材の姿勢を安定的に保持することができ、光モジュールにおける通信品質の低下を抑制することができる。
【００２１】
（７）また、上記（１）の光モジュールにおいて、
前記光結合部材は、前記光ファイバ保持部材と対向する第１面と、前記第１面に形成される第１接続部とを有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面と当接する第２面と、前記第２面と隣接して設けられるとともに前記光ファイバ保持孔が形成された第３面と、前記第１接続部と接続すると第２接続部と、を有し、
前記第３面は前記光ファイバの光軸に直交する面に対して傾斜しており、
前記第２接続部の少なくとも一部は、前記第３面に形成され、
前記姿勢保持構造は、少なくとも前記第１面、前記第２面、前記第１接続部、および前記第２接続部により構成されていても良い。
【００２２】
この光モジュールによれば、光ファイバ保持部材において、第２接続部の少なくとも一部が第３面（傾斜面）に形成されている。したがって、第１接続部と第２接続部との接続強度を維持しつつも、第１面と第３面との間の空間を広く形成することができる。この空間は断熱空間としても機能するため、第３面の光ファイバ保持孔に保持された光ファイバは、光結合部材からの熱の影響を受け難い。このため、光ファイバ保持部材の熱膨張による光ファイバの位置ずれを低減することができ、光モジュールにおける通信品質の低下を抑制することができる。
【００２３】
（８）また、上記（１）の光モジュールにおいて、
前記光結合部材は、前記光ファイバ保持部材と対向する第１面と、前記第１面に形成される第１接続部および突起部と、を有し、
前記光ファイバ保持部材は、上面と、下面と、前面と、後面と、を含み、
前記前面から前記後面に向けて光ファイバ保持孔が形成され、
前記下面は前記回路基板と対向するとともに前記上面と上下方向において反対側に配置され、
前記前面は、前記光素子と前記光ファイバとが光学的に接続された状態において前記第１面に当接する第２面と、前記第２面に隣接して設けられるとともに前記光ファイバ保持孔が形成された第３面と、前記第１接続部に接続する第２接続部と、を有し、
前記第３面は、前記ファイバ端面と同じ傾斜を有し、前記ファイバ端面を一部に含むように配置され、
前記突起部は、前記第３面に当接するように形成されており、
前記姿勢保持構造は、少なくとも前記第１面、前記第２面、前記第１接続部、前記第２接続部、および前記突起部により構成されていても良い。
【００２４】
この光モジュールによれば、光ファイバ保持部材の傾斜している第３面と、光結合部材の突起部と、が当接するように構成されている。このため、光結合部材に対する光ファイバ保持部材の姿勢を、より安定して保持することができ、光モジュールにおける通信品質の低下を抑制できる。
【００２５】
＜本発明の実施形態の詳細＞
以下、本発明に係る光モジュールの実施形態の一例について、図面を参照して詳細に説明する。
【００２６】
図１は、本実施形態の光モジュール１を示す斜視図である。また、図２は、図１の樹脂ハウジング２８を外した状態を示し、図３は、さらに図２の金属ハウジング２６を外した状態を示し、図４は、さらに図３のクリップ部材６０を外した状態を示す。また、図５は、図１に示す光モジュールの断面図である。
【００２７】
光モジュール１は、光通信技術などにおいて信号（データ）の伝送に用いられるものであり、接続先のパソコンなどといった電子機器に電気的に接続され、電気信号と光信号を相互に変換して伝送するものである。
【００２８】
図１に示すように、光モジュール１は、光ケーブル３と、コネクタモジュール５と、を備えている。光モジュール１は、単芯あるいは多芯の光ケーブル３の末端がコネクタモジュール５に取り付けられて構成されている。
【００２９】
光ケーブル３は、複数本（ここでは４本）の光ファイバ心線（光ファイバの一例）７と、この光ファイバ心線７を被覆する樹脂製の外被９と、を有している。また、光ケーブル３は、光ファイバ心線７と外被９との間に介在された極細径の抗張力繊維１１と、外被９と抗張力繊維１１との間に介在された金属編組１３と、を有している。つまり、光ケーブル３では、光ファイバ心線７、抗張力繊維１１、金属編組１３、および外被９が、その中心から径方向の外側に向けてこの順に配置されている。
【００３０】
光ファイバ心線７は、コアとクラッドとが石英ガラスで構成される光ファイバ（ＡＧＦ：Ａｌｌ  Ｇｌａｓｓ  Ｆｉｂｅｒ）、クラッドが硬質プラスチックから構成される光ファイバ（ＨＰＣＦ：Ｈａｒｄ  Ｐｌａｓｔｉｃ  Ｃｌａｄ  Ｆｉｂｅｒ）、等を用いることができる。外被９は、ノンハロゲン難燃性樹脂である例えばＰＶＣ（ｐｏｌｙ  ｖｉｎｙｌ  ｃｈｌｏｒｉｄｅ）から形成されている。外被９の外径は、４．２ｍｍ程度であり、外被９の熱伝導率は、例えば０．１７Ｗ／ｍ・Ｋである。抗張力繊維１１は、例えばアラミド繊維であり、束状に集合された状態で光ケーブル３に内蔵されている。
【００３１】
金属編組１３は、例えば錫めっき導線から形成されており、編組密度が７０％以上、編み角度が４５°〜６０°である（図２参照）。金属編組１３の外径は、０．０５ｍｍ程度である。金属編組１３の熱伝導率は、例えば４００Ｗ／ｍ・Ｋである。金属編組１３は、熱伝導を良好に確保するために高密度に配置することが好ましく、一例としては平角線の錫めっき導線で構成されていることが好ましい。
【００３２】
コネクタモジュール５は、ハウジング２０と、ハウジング２０の前端側に設けられた電気コネクタ２２と、ハウジング２０に収容された回路基板２４（図３参照）と、を備えている。
【００３３】
図１、図２に示すように、ハウジング２０は、金属ハウジング２６と、樹脂ハウジング２８と、から構成されている。
金属ハウジング２６は、収容部材３０と、収容部材３０の後端部に連結され、光ケーブル３を固定する固定部材３２と、から構成されている。金属ハウジング２６は、鋼（Ｆｅ系）、ブリキ（錫めっき銅）、ステンレス、銅、真鍮、アルミなどの熱伝導率の高い（好ましくは１００Ｗ／ｍ・Ｋ以上）金属材料により形成されている。金属ハウジング２６は、熱伝導体を構成している。
【００３４】
収容部材３０は、断面が略矩形形状を呈する筒状の中空部材である（図５参照）。収容部材３０は、回路基板２４などを収容する収容空間Ｓを画成している。収容部材３０の前端側には、電気コネクタ２２が設けられ、収容部材３０の後端側には、固定部材３２が連結される。
【００３５】
固定部材３２は、図２から図５に示すように、板状の基部３４と、筒部３６と、基部３４の両側から前方に張り出す一対の第１張出片３８と、基部３４の両側から後方に張り出す一対の第２張出片４０とを有している。一対の第１張出片３８は、収容部材３０の後部からそれぞれ挿入され、収容部材３０に当接して連結される。一対の第２張出片４０は、後述する樹脂ハウジング２８のブーツ４６に連結される。固定部材３２は、基部３４、筒部３６、第１張出片３８及び第２張出片４０が板金により一体に形成されている。
【００３６】
筒部３６は、略円筒形状を有しており、基部３４から後方に突出するように設けられている。筒部３６は、カシメリング４２との協働により光ケーブル３を保持する。具体的には、外被９を剥いだ後、光ケーブル３の光ファイバ心線７を筒部３６の内部に挿通させるとともに抗張力繊維１１を筒部３６の外周面に沿って配置する。そして、筒部３６の外周面に配置された抗張力繊維１１上にカシメリング４２を配置して、カシメリング４２をかしめる。これにより、抗張力繊維１１が筒部３６とカシメリング４２との間に挟持され、固定部材３２に光ケーブル３が固定される。
【００３７】
基部３４には、光ケーブル３の金属編組１３の端部がはんだにより接合されている。具体的には、金属編組１３は、固定部材３２におけるカシメリング４２（筒部３６）の外周を覆うように配置されており、その端部が基部３４の後面にまで延ばされてはんだにより接合されている。このため、固定部材３２と金属編組１３とは、熱的に接続されている。さらに、収容部材３０の後端部に固定部材３２が結合することにより、収容部材３０と固定部材３２とが物理的且つ熱的に接続される。これにより、収容部材３０と光ケーブル３の金属編組１３とが熱的に接続されている。
【００３８】
樹脂ハウジング２８は、例えばポリカーボネートなどの樹脂材料から形成されており、金属ハウジング２６を覆っている。樹脂ハウジング２８は、外装ハウジング４４と、ブーツ４６と、を有している。外装ハウジング４４は、収容部材３０の外面を覆うように設けられている。ブーツ４６は、外装ハウジング４４の後端部に連結され、固定部材３２の外面を覆うように設けられている。ブーツ４６の後端部と光ケーブル３の外被９とは、接着剤（図示省略）により接着される。
【００３９】
電気コネクタ２２は、接続対象（例えばパソコンなど）に挿入され、接続対象と電気的に接続される部分である。電気コネクタ２２は、図１，図５に示すように、ハウジング２０の前端側に配置されており、ハウジング２０から前方に突出している。また、電気コネクタ２２は、図３から図５に示すように、接触子２２ａにより回路基板２４に電気的に接続されている。
【００４０】
回路基板２４は、図５に示すように、金属ハウジング２６（収容部材３０）の収容空間Ｓに収容されている。回路基板２４には、制御用半導体５０と、受発光素子（光素子の一例）５２（図６参照）と、が搭載されている。回路基板２４は、制御用半導体５０と受発光素子５２とを電気的に接続している。回路基板２４は、図３に示すように、平面視で略矩形形状を呈しており、所定の厚みを有している。回路基板２４は、例えば、ガラスエポキシ基板、セラミック基板などの絶縁基板であり、その表面または内部には、金（Ａｕ）、アルミ（Ａｌ）又は銅（Ｃｕ）などにより回路配線が形成されている。制御用半導体５０と受発光素子５２とは、光電変換部を構成している。また、回路基板２４には、図４に示すように、レンズアレイ部品（光結合部材の一例）５５と、レンズアレイ部品５５に結合されたコネクタ部品（光ファイバ保持部材の一例）５４が設けられている。また、図３に示すように、レンズアレイ部品５５とコネクタ部品５４とを覆ってクリップ部材６０が取り付けられている。
【００４１】
制御用半導体５０は、駆動ＩＣ５０ａ（図６参照）や、波形整形器であるＣＤＲ（Ｃｌｏｃｋ  Ｄａｔｅ  Ｒｅｃｏｖｅｒｙ）装置５０ｂなどを含んでいる。制御用半導体５０は、回路基板２４の表面（上面）２４ａ側に配置されており、電気コネクタ２２と電気的に接続されている。
【００４２】
図６（ａ）は、回路基板２４を上から見た図であり、図６（ｂ）は、（ａ）に示す回路基板２４を横から見た図である。また、図７（ａ）と（ｂ）は、それぞれ図６（ａ）と（ｂ）においてレンズアレイ部品５５にコネクタ部品５４が取り付けられた状態を示す図である。
【００４３】
図６および図７に示すように、回路基板２４に搭載された受発光素子５２は、複数（ここでは２つ）の発光素子５２ａと、複数（ここでは２つ）の受光素子５２ｂとを含んで構成されている。発光素子５２ａ及び受光素子５２ｂは、回路基板２４において、表面２４ａの後端側に配置されている。発光素子５２ａとしては、例えば、発光ダイオード、レーザダイオード、面発光レーザなどを用いることができる。受光素子５２ｂとしては、例えば、フォトダイオードなどを用いることができる。
【００４４】
受発光素子５２は、光ケーブル３の光ファイバ心線７と光学的に接続されている。具体的には、回路基板２４上の受発光素子５２及び駆動ＩＣ５０ａを覆うように取り付けられたレンズアレイ部品５５に、コネクタ部品５４が結合されることにより、受発光素子５２と光ファイバ心線７とが光学的に接続される。
【００４５】
レンズアレイ部品５５は、レンズアレイ部品５５を構成する各面のうち、結合されるコネクタ部品５４に対向する側（後側）に対向後面（第１面の一例）５５ｃを有し、その対向後面５５ｃに位置決めピン（第１接続部の一例）５５ｂを有している。対向後面５５ｃは、回路基板２４の表面２４ａに対して略垂直に形成されている。位置決めピン５５ｂは、光ファイバ心線７の光軸と略平行な方向に突出して設けられている。
【００４６】
また、レンズアレイ部品５５は、光の入射部および出射部に、光ファイバ心線７から入射された光を平行光とし、発光素子５２ａから出射された光を集光して出射するレンズ（光学制御部の一例）５５ｄを有している。また、レンズアレイ部品５５は、受発光素子５２の上側に、光ファイバ心線７から入射された光を集光し、発光素子５２ａから出射された光を平行光にするレンズ５５ｅを有している。さらに、レンズアレイ部品５５は、発光素子５２ａから出射された光、又は、光ファイバ心線７から出射された光を反射して屈曲させる反射膜５５ａを有している。
【００４７】
コネクタ部品５４は、コネクタ部品５４を構成する各面のうち、結合されるレンズアレイ部品５５の対向後面５５ｃに当接する当接面（第２面の一例）５４ｅを有し、その当接面５４ｅに位置決め孔（第２接続部の一例）５４ｂを有している。位置決め孔５４ｂは、光ファイバ心線７の光軸と略平行な方向に向けて形成されている。また、コネクタ部品５４は、当接面５４ｅの上側に隣接して傾斜面（第３面の一例）５４ｆを有している。傾斜面５４ｆは、当接面５４ｅに垂直な方向に対して約８°の仰角を有している。また、傾斜面５４ｆには、光ファイバ心線７を保持する光ファイバ保持孔５４ａが形成されている。
このように、本例のコネクタ部品５４は、当接面５４ｅ（第２面の一例）と傾斜面５４ｆ（第３面の一例）とで構成されるとともに位置決め孔５４ｂ（第２接続部の一例）が形成された前面５４ｈと、前面５４ｈと前後方向において反対側に配置される後面５４ｇと、上面５４ｄと、上面５４ｄと上下方向において反対側に配置される下面５４ｃとを有している。この前面５４ｈは本例の姿勢保持構造の一部を構成している。
【００４８】
また、図７（ａ）に示すように、レンズアレイ部品５５は、対向後面５５ｃに凹部が形成されており、レンズアレイ部品５５とコネクタ部品５４とが結合した状態で、台形状の光結合空間Ｃが形成される。コネクタ部品５４の光ファイバ保持孔５４ａに保持される光ファイバ心線７のファイバ端面から導出される光は、光結合空間Ｃを通過して、レンズアレイ部品５５のレンズ５５ｄに導入される。また、レンズアレイ部品５５から導出される光は、光結合空間Ｃを通過して、コネクタ部品５４に保持される光ファイバ心線７のファイバ端面７ａ（図８参照）に導入される。
【００４９】
レンズアレイ部品５５とコネクタ部品５４とは、位置決めピン５５ｂと位置決め孔５４ｂとが嵌合することで位置決めされて結合する。この結合により、レンズアレイ部品５５の対向後面５５ｃとコネクタ部品５４の当接面５４ｅとが当接する。コネクタ部品５４の光ファイバ保持孔５４ａには、図示を省略する光ファイバ心線７の末端が保持される。受発光素子５２と光ファイバ心線７とは異なる光軸を有している。レンズアレイ部品５５とコネクタ部品５４とが結合することにより、レンズアレイ部品５５のレンズ５５ｄ，５５ｅおよび反射膜５５ａによって光軸方向が変換され、光ファイバ心線７と受発光素子５２とが光学的に接続される。
【００５０】
レンズアレイ部品５５にコネクタ部品５４が結合された状態において、図７（ｂ）に示すように、コネクタ部品５４の下面５４ｃと回路基板２４との間には、所定の距離を有した断熱空間Ｄが形成される。レンズアレイ部品５５は、成形における寸法精度が良好で、通信光に対して透明度の高い樹脂（例えば、ポリエーテルイミド系樹脂：線膨張係数５．６×１０−５／Ｋ）で構成されている。さらに、高温環境での使用が想定される場合には、リフロー等の高温処理に耐え得る樹脂であって、通信光に対して透明度の高い樹脂（例えば、電子線架橋樹脂：線膨張係数９．０×１０−５／Ｋ）で構成される。また、コネクタ部品５４は、成形における寸法精度が良好な材料（例えば、ポリフェニレンスルフィド系樹脂：線膨張係数２．６×１０１０−５／Ｋ））で構成される。
【００５１】
図８は、コネクタ部品５４の一例を示す斜視図である。
図８に示すように、コネクタ部品５４の傾斜面５４ｆには、複数（ここでは４個）の光ファイバ保持孔５４ａが形成されており、各光ファイバ保持孔５４ａには光ファイバ心線７が挿入されている。各光ファイバ心線７は、そのファイバ端面７ａが光ファイバ保持孔５４ａからコネクタ部品５４の外に露出された状態で光ファイバ保持孔５４ａに保持されている。ファイバ端面７ａは、光ファイバ心線７の光軸に直交する面に対して傾斜して形成されており、例えば光ファイバ心線７の光軸に直交する面に対して約８°の仰角を有するように研磨されている。また、光ファイバ心線７は接着剤７１によって光ファイバ保持孔５４ａに接着固定されている。
【００５２】
傾斜面５４ｆは、光ファイバ心線７のファイバ端面７ａと同様に光ファイバ心線７の光軸に直交する面に対して傾斜して形成されている。傾斜面５４ｆは、ファイバ端面７ａと同じ傾斜角度に研磨されており、ファイバ端面７ａを一部に含むようにほぼ（略）同一面上に形成されている。コネクタ部品５４を研磨機に押しつけて研磨するとき、ガラスで構成される光ファイバ心線７の方が樹脂で構成されるコネクタ部品より堅いため、ファイバ端面７ａの方が僅かに傾斜面５４ｆより前方に飛び出る場合もある。また、コネクタ部品５４がレンズアレイ部品５５に結合された状態において、傾斜面５４ｆとレンズアレイ部品５５の対向後面５５ｃとの間には、傾斜面５４ｆによる傾斜空間Ｅが形成される（図７（ｂ）参照）。
【００５３】
傾斜面５４ｆの下側に隣接する当接面５４ｅの両側部近傍には、当接面５４ｅに対して垂直方向であるコネクタ部品５４の長手方向に沿って、位置決め孔５４ｂが形成されている。また、位置決め孔５４ｂは、その孔全体が当接面５４ｅ上に配置されるように形成されており、コネクタ部品５４の厚さ方向における略中央に形成されている。
【００５４】
コネクタ部品５４では、コネクタ部品５４の厚さ方向において、位置決め孔５４ｂよりも上側の位置に、光ファイバ保持孔５４ａが形成されている。図７（ｂ）を参照して説明すると、レンズアレイ部品５５とコネクタ部品５４とが位置決めピン５５ｂと位置決め孔５４ｂとによって接続され、受発光素子５２と光ファイバ心線７とが光学的に接続された状態において、コネクタ部品５４を構成する各面のうち、断熱空間Ｄを挟んで回路基板２４に対向する面である下面５４ｃとは上下方向において反対側の面である上面５４ｄに対して、位置決め孔５４ｂよりも近い位置に、光ファイバ保持孔５４ａが形成されている。このように、光ファイバ保持孔５４ａは、位置決め孔５４ｂから上面５４ｄ側にシフトした位置に配置されている。
【００５５】
図９は、クリップ部材６０の一例を示す図である。図９（ａ），（ｂ）は、レンズアレイ部品５５とコネクタ部品５４とに装着される前のクリップ部材６０の形状を示す図である。図９（ｃ）は、位置決めピン５５ｂと位置決め孔５４ｂとによって結合されたレンズアレイ部品５５とコネクタ部品５４とにクリップ部材６０が装着された状態を示す図である。
【００５６】
クリップ部材６０は、レンズアレイ部品５５とコネクタ部品５４との外周側に配置され、レンズアレイ部品５５とコネクタ部品５４とを把持することにより両部品の接続状態を保持する部材である。クリップ部材６０は、例えば、ステンレスなどの弾性に優れた金属材料を機械加工して形成されたものであり、レンズアレイ部品５５およびコネクタ部品５４と略同一幅寸法に形成されている。
【００５７】
図９（ａ），（ｂ）に示すように、クリップ部材６０は、長方形状の天板部６１を有している。また、クリップ部材６０は、天板部６１の一端である第１端部６２から天板部６１の下面６１ａ側に張り出す一対の第１脚部６３を有している。さらに、クリップ部材６０は、レンズアレイ部品５５とコネクタ部品５４とが接続される接続方向において、第１端部６２とは反対側の天板部６１の他端である第２端部６４から天板部６１の下面６１ａ側に張り出す一対の第２脚部６５を有している。また、天板部６１の中央には、矩形状の開口部６６が形成されている。
【００５８】
天板部６１は、コネクタ部品５４及びレンズアレイ部品５５への装着時に略平面形状となるように、図９（ｂ）に示すように、下面６１ａ側とは反対側の上面６１ｂ側に頂部６７を有するように予め屈曲して形成されている。頂部６７は、天板部６１の中央位置に形成されている。また、第１脚部６３及び第２脚部６５は、それぞれ内側へ僅かに突出するように屈曲して形成され、第１脚部６３及び第２脚部６５の下端部６３ａ，６５ａが外側へ広がるように傾斜して形成されている。
【００５９】
図９（ｃ）に示すように、クリップ部材６０は、レンズアレイ部品５５とコネクタ部品５４の上方側から嵌め込まれる。クリップ部材６０を装着すると、レンズアレイ部品５５とコネクタ部品５４とがクリップ部材６０の第１脚部６３と第２脚部６５との間に挟み込まれる。このとき、第１脚部６３は、レンズアレイ部品５５を構成する各面のうちの対向後面５５ｃとは反対側の面５５ｈと第１接点Ｆ１で接触し、第２脚部６５は、コネクタ部品５４を構成する各面のうちの当接面５４ｅとは反対側の面である後面５４ｇと第２接点Ｆ２で接触する。この状態のとき、第１接点Ｆ１及び第２接点Ｆ２は、当接面５４ｅと傾斜面５４ｆとの接続部分Ｘよりも回路基板２４に近い位置に配置されている。このように、第１接点Ｆ１及び第２接点Ｆ２は、接面５４ｅと傾斜面５４ｆとの接続部分Ｘから下面５４ｃ側にシフトした位置に配置されている。また、この状態のとき、クリップ部材６０は、上方へ屈曲されていた天板部６１が略平面形状に変形し、この天板部６１によってレンズアレイ部品５５とコネクタ部品５４との外周の上面５５ｆと５４ｄが覆われる。
【００６０】
これにより、レンズアレイ部品５５とコネクタ部品５４とが、弾性変形した天板部６１の弾性力によって第１脚部６３と第２脚部６５とで挟持されて固定支持され、両部品の接続状態が維持される。また、略平面形状に変形した天板部６１は、レンズアレイ部品５５とコネクタ部品５４の外周の上面５５ｆと５４ｄに密着した状態に配置される。また、クリップ部材６０が装着された状態において、光ファイバ心線７は、一対の第１脚部６３の間に配索される。
【００６１】
上記構成を有する光モジュール１では、電気コネクタ２２から電気信号を入力し、回路基板２４の配線を介して制御用半導体５０が電気信号を入力する。制御用半導体５０に入力された電気信号は、レベルの調整やＣＤＲ装置５０ｂにより波形整形などが行われた後に、制御用半導体５０から回路基板２４の配線を介して受発光素子５２に出力される。電気信号を入力した受発光素子５２では、電気信号を光信号に変換し、発光素子５２ａから光ファイバ心線７に光信号を出射する。
【００６２】
また、光ケーブル３で伝送された光信号は、受光素子５２ｂにより入射される。受発光素子５２では、入射された光信号を電気信号に変換し、この電気信号を回路基板２４の配線を介して制御用半導体５０に出力する。制御用半導体５０では、電気信号に所定の処理を施した後、電気コネクタ２２にその電気信号を出力する。
【００６３】
さらに、光モジュール１ではモジュール内で発生した熱を以下のようにして放熱する。図５において、回路基板２４に搭載された制御用半導体５０及び受発光素子５２で発生した熱は、まず回路基板２４に伝わる。回路基板２４に伝達された熱は、放熱シート５６を介して収容部材３０に伝えられる。次に、熱は、収容部材３０からこれに連結された固定部材３２に伝わり、固定部材３２に接続された光ケーブル３の金属編組１３に伝えられる。そして、金属編組１３に伝わった熱は、光ケーブル３の外被９を介して外部に放出される。
【００６４】
ところで、従来、光ファイバを保持するコネクタ部品がレンズアレイ部品に装着されて、光ファイバと光素子とが光学的に接続される構成の光モジュールがある（国際公開第２０１３／０９９７５３号）。この光モジュールでは、コネクタ部品に保持された光ファイバの端面が、光軸に直交する面に対して垂直に形成されているため、発光素子から出射された光がレンズアレイ部品を介して光ファイバの端面に入射するとき、光の一部が光ファイバの端面で反射してレンズアレイ部品方向に戻ってしまう場合があった。この場合、レンズアレイ部品方向に戻る反射光によって光モジュールの通信品質が低下してしまう。
【００６５】
また、従来、反射減衰量の特性を向上させるために、すなわち、戻り反射光による通信品質の低下を抑制するために、光ファイバを保持するコネクタの各面のうち、光ファイバが露出する端面の全体を斜め研磨する技術が知られている（特許第４６８８７１９号）。
【００６６】
そこで、国際公開第２０１３／０９９７５３号のように、レンズアレイ部品とコネクタ部品とを連結させる構成のものに対して斜め研磨の技術を応用し、コネクタ部品の端面の全体を斜めに研磨することが考えられる。しかしながら、コネクタ部品の端面の全体を斜めに研磨してしまうと、不意な力によってレンズアレイ部品に対するコネクタ部品の姿勢が不安定になってしまう場合がある。レンズアレイ部品に対するコネクタ部品の姿勢が不安定の場合、光ファイバと光素子との光学的な接続が不安定になり、通信品質が低下する一因となる。
【００６７】
これに対し、本実施形態の光モジュール１によれば、発光素子５２ａから出射された光の一部は、光ファイバ心線７に受光されず、光ファイバ心線７のファイバ端面７ａで反射される。しかし、ファイバ端面７ａが光ファイバ心線７の光軸に直交する面に対し傾斜して形成されているため、この傾斜したファイバ端面７ａで反射した光は、図１０に示すように、矢印Ｆで示される方向へ進行する。このため、この傾斜したファイバ端面７ａによって、レンズ５５ｄに向かう光の反射が防止される。これにより、光モジュール１における、レンズ５５ｄに入射するファイバ端面７ａの反射光を要因とした、通信品質の低下を抑制することができる。
【００６８】
また、レンズアレイ部品５５の位置決めピン５５ｂと対向後面５５ｃ、コネクタ部品５４の位置決め孔５４ｂと当接面５４ｅ、およびクリップ部材６０を含んで構成される姿勢保持構造により、レンズアレイ部品５５に対するコネクタ部品５４の姿勢を保持することができる。このため、レンズ５５ｄに対するファイバ端面７ａの位置ずれが低減されて、受発光素子５２と光ファイバ心線７との光学的な接続が安定した状態に維持される。これにより、光モジュール１の光学的な接続の損失を要因とする通信品質の低下を抑制することができる。なお、姿勢保持構造は、レンズアレイ部品５５の位置決めピン５５ｂとコネクタ部品５４の位置決め孔５４ｂとを少なくとも含むように構成してもよく、また、レンズアレイ部品５５の対向後面５５ｃとコネクタ部品５４の当接面５４ｅとを少なくとも含むように構成してもよい。
【００６９】
具体的には、コネクタ部品５４の光ファイバ保持孔５４ａは、レンズアレイ部品５５の位置決めピン５５ｂが結合する位置決め孔５４ｂの位置よりも、コネクタ部品５４の上面５４ｄに近い位置に形成されている。したがって、光ファイバ保持孔５４ａは、コネクタ部品５４において、温度上昇の大きい回路基板２４から離れた位置に形成され、上面５４ｄに近い光ファイバ保持孔５４ａの位置は他の部位より比較的高温になりにくい。このため、光ファイバ保持孔５４ａに保持されている光ファイバ心線７は、コネクタ部品５４の熱膨張による影響を受け難く、熱膨張による光ファイバ心線７の位置ずれは低減される。また、熱による光ファイバ保持孔５４ａ内部の接着剤７１の劣化が進行することを抑制することができる。これにより、レンズアレイ部品５５に対するコネクタ部品５４の姿勢を保持することができ、受発光素子５２と光ファイバ心線７との光学的な接続を安定した状態に維持して、光モジュール１における通信品質の低下を抑制することができる。
【００７０】
また、レンズアレイ部品５５とコネクタ部品５４とは、結合した状態において、対向後面５５ｃと当接面５４ｅとで面接触する。このため、レンズアレイ部品５５に対するコネクタ部品５４の姿勢を確実に保持することができるので、受発光素子５２と光ファイバ心線７との光学的な接続を安定的に維持することができ、光モジュール１における通信品質の低下を抑制することができる。
【００７１】
また、コネクタ部品５４における当接面５４ｅに隣接した上側には、レンズアレイ部品５５の対向後面５５ｃから離れる方向へ約８°傾斜した傾斜面５４ｆが形成される。このため、レンズアレイ部品５５とコネクタ部品５４とが結合された状態において、レンズアレイ部品５５の対向後面５５ｃとコネクタ部品５４の傾斜面５４ｆとの間には、傾斜空間Ｅが形成される。この傾斜空間Ｅは、断熱空間としても機能するため、傾斜面５４ｆの光ファイバ保持孔５４ａに保持された光ファイバ心線７は、レンズアレイ部品５５からの熱の影響を受け難い位置に配索される。このため、コネクタ部品５４の熱膨張による光ファイバ心線７の位置ずれを低減することができ、上記と同様に光モジュール１における通信品質の低下を抑制することができる。
【００７２】
また、レンズアレイ部品５５の対向後面５５ｃに当接するコネクタ部品５４の当接面５４ｅ上に、コネクタ部品５４の位置決めを行うための位置決め孔５４ｂの全体が形成される。このため、対向後面５５ｃと当接面５４ｅとを当接させることにより、コネクタ部品５４の位置決め孔５４ｂに対してレンズアレイ部品５５の位置決めピン５５ｂが、ずれることなく嵌め合わされる。また、光ファイバ保持孔５４ａが形成されているコネクタ部品５４の傾斜面５４ｆは、位置決め孔５４ｂよりも上部で上面５４ｄに近い領域に形成される。このため、コネクタ部品５４における当接面５４ｅの領域を広く確保することができるので、レンズアレイ部品５５とコネクタ部品５４との当接する面積が広くなる。これにより、レンズアレイ部品５５に対するコネクタ部品５４の姿勢を安定的に保持することができ、上記と同様に光モジュール１における通信品質の低下を抑制することができる。
【００７３】
また、コネクタ部品５４とレンズアレイ部品５５とは、クリップ部材６０によって把持される。このとき、第１脚部６３は、レンズアレイ部品５５の面５５ｈと第１接点Ｆ１で接触し、第２脚部６５は、コネクタ部品５４の後面５４ｇと第２接点Ｆ２で接触する。この状態のとき、第１接点Ｆ１及び第２接点Ｆ２は、当接面５４ｅと傾斜面５４ｆとの接続部分Ｘよりも回路基板２４に近い位置に配置されている。このため、クリップ部材６０の押圧力は、当接面５４ｅと対向後面５５ｃとに互いの面を押し合うように作用するので、この押圧力によって両部材を安定的に固定することができる。これにより、レンズアレイ部品５５に対するコネクタ部品５４の姿勢を安定的に保持することができ、上記と同様に光モジュール１における通信品質の低下を抑制することができる。
【００７４】
また、コネクタ部品５４の傾斜面５４ｆと光ファイバ心線７のファイバ端面７ａとは、同じ傾斜角度でほぼ同一面上に形成されている。このため、コネクタ部品５４の端面を研磨して傾斜面５４ｆを形成することで、ファイバ端面７ａの傾斜も同時に形成することができ、コネクタ部品５４の製造が容易である。
【００７５】
次に、上述した形態におけるコネクタ部品の変形例について図１１を参照して説明する。
上述した形態のコネクタ部品５４では、図６から図８に示されるように、光ファイバ保持孔５４ａが形成された傾斜面５４ｆは、位置決め孔５４ｂよりも上部に形成されている。すなわち、位置決め孔５４ｂに傾斜面５４ｆが重ならないように形成されている。しかし、この形態に限定されず、例えば図１１（ａ）に示すように、位置決め孔５４ｂの一部（ここでは位置決め孔５４ｂの上部）を傾斜面５４ｆに形成しても良い。この場合、傾斜面５４ｆは、位置決め孔５４ｂの下半分に重ならないように形成されることが望ましい。
【００７６】
このような構成とすることにより、コネクタ部品５４における傾斜面５４ｆの面積を大きく確保することができ、レンズアレイ部品５５とコネクタ部品５４とが結合された図７の状態において、傾斜空間Ｅが大きく形成される。傾斜空間Ｅは断熱空間としても機能するため、傾斜面５４ｆの光ファイバ保持孔５４ａに保持された光ファイバ心線７は、レンズアレイ部品５５からの熱の影響をさらに受け難くなる。これにより、コネクタ部品５４の熱膨張による光ファイバ心線７の位置ずれを低減することができ、上記と同様に光モジュール１における通信品質の低下を抑制することができる。また、位置決め孔５４ｂは、上半分の一部分のみが傾斜面５４ｆによって削られるだけなので、位置決めピン５５ｂと位置決め孔５４ｂとの嵌合によって位置決めピン５５ｂを確実に保持することができる。これにより、レンズアレイ部品５５に対するコネクタ部品５４の姿勢を安定的に保持し、上記と同様に光モジュール１における通信品質の低下を抑制することができる。
【００７７】
また、例えば図１１（ｂ）に示すように、コネクタ部品５４の幅方向の一部に傾斜面５４ｆを形成するようにしても良い。具体的には、形成された傾斜面５４ｆに少なくとも光ファイバ保持孔５４ａが設けられるように、コネクタ部品５４の幅方向における中央部に傾斜面５４ｆを形成する。この場合、傾斜面５４ｆが位置決め孔５４ｂと重ならないように形成されることが望ましい。すなわち、位置決め孔５４ｂは当接面５４ｅ上の両側部近傍に形成され、傾斜面５４ｆ上に光ファイバ保持孔５４ａのみが形成されることが望ましい。
【００７８】
このような構成とすることにより、コネクタ部品５４における当接面５４ｅの面積を広く確保することができるので、レンズアレイ部品５５とコネクタ部品５４とが結合された状態において、両部品の互いに当接する部分の面積が広い。これにより、レンズアレイ部品５５に対するコネクタ部品５４の姿勢を安定的に保持することができ、上記と同様に光モジュール１における通信品質の低下を抑制することができる。
【００７９】
次に、上述した形態におけるレンズアレイ部品の変形例について図１２を参照して説明する。
上述した形態のレンズアレイ部品５５では、図６、図７に示されるように、コネクタ部品５４に対向する対向後面５５ｃが、回路基板２４の表面２４aに対して略垂直に形成されている。しかし、この形態に限定されず、例えば図１２（ａ），（ｂ）に示すように、レンズアレイ部品５５Ａにおいて、姿勢保持構造の一部として、対向後面５５ｃの上部に突起部５５ｇを設けるようにしても良い。突起部５５ｇは、対向するコネクタ部品５４に向かって突出し、その突出した端面は、結合されるコネクタ部品５４の傾斜面５４ｆに当接するように傾斜して形成されている。例えば、突起部５５ｇの端面は、光ファイバ心線７の光軸に直交する面に対して約８°の俯角を有するように研磨されている。また、突起部５５ｇは、図１２（ｃ）に示すように、結合されるコネクタ部品５４の傾斜面５４ｆにおける光ファイバ保持孔５４ａが形成されている部分を除いた部分、すなわち対向後面５５ｃの両側部に形成されている。
【００８０】
このような構成とすることにより、レンズアレイ部品５５Ａとコネクタ部品５４とが結合された状態において、レンズアレイ部品５５Ａの対向後面５５ｃに対して、コネクタ部品５４の当接面５４ｅだけでなく傾斜面５４ｆの一部も当接する。これにより、レンズアレイ部品５５Ａに対するコネクタ部品５４の姿勢を、より安定的に保持することができ、上記と同様に光モジュール１における通信品質の低下を抑制することができる。
【００８１】
次に、上述した形態におけるクリップ部材の変形例について図１３を参照して説明する。
上述した形態のクリップ部材６０では、図９（ｂ）に示されるように、レンズアレイ部品５５とコネクタ部品５４との外周の上面５５ｆと５４ｄを覆う長方形状の天板部６１を有している。しかし、この形態に限定されず、例えば図１３（ａ），（ｂ）に示すように、クリップ部材６０Ａにおいて、姿勢保持構造の一部として、天板部６１の下面６１ａに突起部６８を設けるようにしても良い。突起部６８は、装着されるレンズアレイ部品５５およびコネクタ部品５４の外周の上面５５ｆおよび５４ｄに向かって突出するように形成されている。また、突起部６８は、コネクタ部品５４の傾斜面５４ｆにおける光ファイバ保持孔５４ａが形成されている部分を除いた部分、すなわち天板部６１の両側部に形成されている。
【００８２】
このクリップ部材６０Ａが装着された場合、クリップ部材６０Ａの第１脚部６３と第２脚部６５との間に、レンズアレイ部品５５とコネクタ部品５４とが挟み込まれる。そして、略平面形状に変形した天板部６１が外周の上面５５ｆと５４ｄを覆い、天板部６１の突起部６８がコネクタ部品５４の傾斜面５４ｆによって形成された傾斜空間Ｅに嵌合する。
【００８３】
このような構成とすることにより、レンズアレイ部品５５Ａとコネクタ部品５４とが結合された状態において、傾斜空間Ｅの一部にクリップ部材６０Ａの突起部６８が嵌合される。このため、レンズアレイ部品５５の対向後面５５ｃに対して、コネクタ部品５４の当接面５４ｅだけでなく、突起部６８を介した傾斜面５４ｆの一部も当接する。これにより、レンズアレイ部品５５Ａに対するコネクタ部品５４の姿勢を、より安定的に保持することができ、上記と同様に光モジュール１における通信品質の低下を抑制することができる。
【００８４】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００８５】
例えば、コネクタ部品およびレンズアレイ部品として、図１４に示すように、位置決め孔５４ｂが光ファイバ保持孔５４ａの位置よりも上部に形成されているコネクタ部品５４Ｃ、及びこれに対応するレンズアレイ部品５５Ｂを用いても良い。このような構成であっても、上述した形態と同様の姿勢保持構造によって、レンズアレイ部品５５に対するコネクタ部品５４の姿勢を安定的に保持することができる。
【符号の説明】
【００８６】
１：光モジュール
５：コネクタモジュール
７：光ファイバ心線（光ファイバの一例）
７ａ：ファイバ端面
２４：回路基板
５２：受発光素子（光素子の一例）
５４，５４Ａ，５４Ｂ，５４Ｃ：コネクタ部品（光ファイバ保持部材の一例）、
５４ａ：光ファイバ保持孔
５４ｂ：位置決め孔（第２接続部の一例）
５４ｃ：下面
５４ｄ：上面
５４ｅ：当接面（第２面の一例）
５４ｆ：傾斜面（第３面の一例）
５４ｇ：後面
５４ｈ：前面
５５，５５Ａ，５５Ｂ：レンズアレイ部品（光結合部材の一例）
５５ｂ：位置決めピン（第１接続部の一例）
５５ｃ：対向後面（第１面の一例）
５５ｄ：レンズ（光学制御部の一例）
５５ｇ：突起部
６０：クリップ部材
６８：突起部
【図１】
2015175910.tif 000003
【図２】
2015175910.tif 000004
【図３】
2015175910.tif 000005
【図４】
2015175910.tif 000006
【図５】
2015175910.tif 000007
【図６】
2015175910.tif 000008
【図７】
2015175910.tif 000009
【図８】
2015175910.tif 000010
【図９】
2015175910.tif 000011
【図１０】
2015175910.tif 000012
【図１１】
2015175910.tif 000013
【図１２】
2015175910.tif 000014
【図１３】
2015175910.tif 000015
【図１４】
2015175910.tif 000016